(57)【特許請求の範囲】
【請求項１】
本体ハウジングに形成した把手部の延長方向に対して曲がった方向に、施療幅に比べて施療長さが長くなる長い施療部を設け、長い施療部の施療幅を変更可能に構成して成ることを特徴とするマッサージ器。
【請求項２】
長い施療部が把手部の方向に回動自在に本体ハウジングに枢支して成ることを特徴とする請求項１記載のマッサージ器。
【請求項３】
本体ハウジングが長い施療部の枢支位置において折りたたみ可能にして成ることを特徴とする請求項２記載のマッサージ器。
【請求項４】
長い施療部を本体ハウジングに弾性体を介して弾性を備えたロック手段にて連結して成ることを特徴とする請求項３記載のマッサージ器。
【請求項５】
本体ハウジング側からの直線往復運動を長い施療部の往復回動運動に変換するばね手段を備えて成ることを特徴とする請求項２記載のマッサージ器。
【請求項６】
長い施療部の両側に副施療子を施療部の回動方向に位置変更可能に設けて成ることを特徴とする請求項１記載のマッサージ器。
【請求項７】
長い施療部の両側に副施療子を回動位置を変更可能に設け、副施療子の下回動位置においては長い施療部に同レベルで連結されて同調駆動されるととにも上回動位置においては長い施療部から退避して本体ハウジングに連結されて長い施療部のみが回動駆動される副施療子の回動位置変更手段を設けて成ることを特徴とする請求項６記載のマッサージ器。
【請求項８】
副施療子が長い施療部に対して段階的に位置変更可能に構成して成ることを特徴とする請求項６記載のマッサージ器。
【請求項９】
長い施療部に長さ方向に位置をずらせて異なる形状の施療ポイントを設けて成ることを特徴とする請求項１記載のマッサージ器。
【請求項１０】
長い施療部に長さ方向に施療ポイントをスライド移動可能に設けて成ることを特徴とする請求項１記載のマッサージ器。
【請求項１１】
施療ポイントのスライド移動によって施療ポイントの高さを変更可能にして成ることを特徴とする請求項１０記載のマッサージ器。
【請求項１２】
長い施療部の長さ方向の中央部に施療部をシーソー揺動させる支持位置を設けて成ることを特徴とする請求項１記載のマッサージ器。
【請求項１３】
長い施療部の施療側が凹状に湾曲していることを特徴とする請求項１２記載のマッサージ器。
【請求項１４】
長い施療部が複数並設されて交互に叩き動作することを特徴とする請求項１又は２記載のマッサージ器。
【請求項１５】
複数の長い施療部の少なくとも一つが本体ハウジング側に固定され、他の長い施療部が叩き動作をおこなうことを特徴とする請求項１４記載のマッサージ器。
【請求項１６】
長い施療部の長さ方向の両端部にソレノイドのような駆動部を設けて成ることを特徴とする請求項１記載のマッサージ器。
【請求項１７】
一定以上のシーソ揺動を阻止する揺動防止ガイドを設けて成ることを特徴とする請求項１又は１２記載のマッサージ器。
【請求項１８】
ソレノイドにおいて駆動されるプランジャーの摺動ガイドを円とは異なる非円形にするとともに長い施療部に連結されるプランジャーの外形も摺動ガイドの形状に合致させて成ることを特徴とする請求項１７記載のマッサージ器。
【発明の詳細な説明】
【０００１】
【発明の属する技術分野】
本発明は、マッサージ器に関し、詳しくは、施療部の上下動作により人体、特に、首や肩をマッサージする手持ち形式のマッサージ器に関し、更に、詳しくは、施療長さを長くしてマッサージ効果を高めようとする技術に係るものである。
【０００２】
【従来の技術】
従来、首や肩を施療するマッサージ器は、特開平７−２２７４１３号公報に示すように、把手部の延長方向の先端部にポイント状の施療部を設けるものである。
【０００３】
【発明が解決しようとする課題】
ところで、従来のマッサージ器においては、施療部、即ち、叩き部はポイント又は円形であって、施療部による施療域が狭いとともに円形となっていることから、施療肢体部位を狙い難く、手で叩くマッサージ師のマッサージ感覚及びマッサージ効果を得難いものとなっていた。
【０００４】
本発明はこのような問題に鑑みてなされたものであり、施療部の長さを長くして施療域を長くして、マッサージ部位を狙いやすしながら、マッサージ師によるマッサージ感覚及びマッサージ効果を得ることができるマッサージ器を提供することを課題とするものである。
【０００５】
【課題を解決するための手段】
請求項１においては、本体ハウジング３に形成した把手部１の延長方向に対して曲がった方向に、施療幅Ｗに比べて施療長さＬが長くなる長い施療部２を設け、長い施療部２の施療幅Ｗを変更可能に構成してあることを特徴とするものである。このような構成によれば、施療域を長くすることができ、例えば、首や肩等のマッサージしたい部位を狙いやすく、手によるチョッパー感覚を得ることができ、マッサージ師のマッサージ感覚、マッサージ効果を得ることができ、かつ、長い施療部２は把手部１に対して曲がっていることから、肩や首に乗せやすく使用しやすい。
更に、請求項１においては、長い施療部２の施療幅Ｗを変更可能に構成してあることを特徴とするものである。このような構成によれば、施療幅Ｗを狭くする場合には、チョッパー感覚の強い刺激マッサージが得られ、アタッチメントにより施療幅Ｗを広くした場合には、平手打ち感覚のやさしいマッサージを得ることができる。即ち、使用始めでは、施療幅Ｗを広くしたワイドでのならし、使用途中では、施療幅Ｗを狭くしたチョッパーでの本マッサージ、終了時では、再びワイドでの仕上げをおこなうことができ、マッサージ師の手順に合わせたマッサージができる。
【０００６】
請求項２においては、長い施療部２が把手部１の方向に回動自在に本体ハウジング３に枢支していることを特徴とするものである。このような構成によれば、長い施療部２の連続した往復回動運動によって、マッサージ師の叩き手技（ケン打）のマッサージ感覚を得ることができ、かつ、長い施療部２の一端部を枢支することから、長さ方向とは直交する左右方向の動きを抑制することができ、安定的に使用することができ、加えて、長い施療部２を往復回動動作させることから、長い施療部２の前後で動作のストロークが異なり、マッサージ器を前後に移動することで最適な強さを容易に得ることができる。
【０００７】
請求項３においては、本体ハウジング３が長い施療部２の枢支位置において折りたたみ可能にしていることを特徴とするものである。このような構成によれば、折りたたみによってコンパクト化を図ることができながら、本体ハウジング３の折りたたみ位置と長い施療部２の枢支位置とが同じ位置であることから、施療部２の長さを最大限長くすることができ、しかも、枢支位置が一箇所だから、構成を簡素化することができながら、小スペースで折り曲げと回動がおこな得る。
【０００８】
請求項４においては、長い施療部２を本体ハウジング３に弾性体５を介して弾性を備えたロック手段４にて連結していることを特徴とするものである。このような構成によれば、施療部２及び施療部２が連結された本体ハウジング３部分で構成するヘッド部分１７は、本体ハウジング３に弾性体５を介して連結されることで施療部２の回動運動を吸収して微少な回動運動にすることができ、把手部１側の手元振動を軽減することができ、しかも、長い施療部２を本体ハウジング３にロックした状態で、ヘッド部分１７による叩き動作において飛び跳ね動作となり、長い施療部２の施療面への接触時間が短くなり、又、反動での叩き力が加わってマッサージ師がおこなう軽快なマッサージ動作を生み出すことができる。
【０００９】
請求項５においては、本体ハウジング３側からの直線往復運動を長い施療部２の往復回動運動に変換するばね手段６を備えていることを特徴とするものである。このような構成によれば、直線運動を回動運動に変換する構成を簡素化することができる。
【００１１】
請求項６においては、長い施療部２の両側に副施療子７を施療部２の回動方向に位置変更可能に設けてあることを特徴とするものである。このような構成によれば、副施療子２の位置の変更によって施療幅Ｗを変更することができながら、副施療子２を退避させることで、施療部２のみの施療ができて、マッサージ感を明確にすることができる。
【００１２】
請求項７においては、長い施療部２の両側に副施療子７を回動位置を変更可能に設け、副施療子７の下回動位置においては長い施療部２に同レベルで連結されて同調駆動されるととにも上回動位置においては長い施療部２から退避して本体ハウジング３に連結されて長い施療部２のみが回動駆動される副施療子７の回動位置変更手段８を設けてあることを特徴とするものである。このような構成によれば、副施療子７の位置を変更することにより、ワイド叩き（平手打）、チョッパー叩き（ケン打）のマッサージ感覚でマッサージをおこなうことができる。
【００１３】
請求項８においては、副施療子７が長い施療部２に対して段階的に位置変更可能に構成してあることを特徴とするものである。このような構成によれば、副施療子７の位置を長い施療部２に対して段階的に位置を変更することで、施療部２と副施療子７との好みの施療状態でマッサージをおこなうことができる。
【００１４】
請求項９においては、長い施療部２に長さ方向に位置をずらせて異なる形状の施療ポイント９，１０を設けてあることを特徴とするものである。このような構成によれば、施療部２を長さ方向に動かすことで、施療感覚及び刺激を容易に変えることができる。
【００１５】
請求項１０においては、長い施療部２に長さ方向に施療ポイント１１をスライド移動可能に設けてあることを特徴とするものである。このような構成によれば、施療ポイント１１をスライドさせることで、マッサージ感を変えることができる。
【００１６】
請求項１１においては、施療ポイント１１のスライド移動によって施療ポイント１１の高さを変更可能にしてあることを特徴とするものである。このような構成によれば、マッサージ刺激強さを変えることができ、多種のマッサージ感を得ることができる。
【００１７】
請求項１２においては、長い施療部２の長さ方向の中央部に施療部２をシーソー揺動させる支持位置を設けてあることを特徴とするものである。このような構成によれば、長い施療部２が施療部位に沿うように揺動することができ、施療部位に合った広い範囲のマッサージをおこなうことができる。
【００１８】
請求項１３においては、長い施療部２の施療側が凹状に湾曲していることを特徴とするものである。このような構成によれば、長い施療部２が人体に馴染み、一層、ワイド感のあるマッサージをおこなうことができる。
【００１９】
請求項１４においては、長い施療部２が複数並設されて交互に叩き動作することを特徴とするものである。このような構成によれば、両手感覚での交互叩きをおこなうことができる。
【００２０】
請求項１５においては、複数の長い施療部２の少なくとも一つが本体ハウジング３側に固定され、他の長い施療部２が叩き動作をおこなうことを特徴とするものである。このような構成によれば、簡単な構成により交互叩きをおこなうことができ、部品点数を少なくすることができる。
【００２１】
請求項１６においては、長い施療部２の長さ方向の両端部にソレノイドのような駆動部１２，１２を設けてあることを特徴とするものである。このような構成によれば、長い施療部２の施療長さを、一層、長くすることができ、更に、両端のソレノイドのような駆動部１２，１２への通電タイミングを変えることによって、異なった動作を造り出すことができてマッサージ師の手技に近づけることができる。
【００２２】
請求項１７においては、一定以上のシーソ揺動を阻止する揺動防止ガイド１３を設けてあることを特徴とするものである。このような構成によれば、使用時に長い施療部２が回動せず安定させることができて使いやすい。
【００２３】
請求項１８においては、ソレノイド１４において駆動されるプランジャー１５の摺動ガイド１６を円とは異なる非円形にするとともに長い施療部２に連結されるプランジャー１５の外形も摺動ガイド１６の形状に合致させてあることを特徴とするものである。このような構成によれば、ソレノイド１４のプランジャー１５及び摺動ガイド１６によって長い施療部２の回動を防止できて、回動防止の構成を兼用化できて構成を簡素化できる。
【００２４】
【発明の実施の形態】
以下、本発明の実施の形態を説明する。図１は側面図、図２は正面図である。
【００２５】
マッサージ器Ａは、本体ハウジング３の基端部に把手部１が略棒状に形成され、把手部１の延長方向に対して略直下に曲がった方向に、施療幅Ｗに比べて施療長さＬが長くなる長い施療部２を設けている。施療幅Ｗは副施療子７を使用することで、施療幅ＷＳが広くなるが、広くなった施療幅ＷＳに比べても施療長さＬは充分に長いものである。
【００２６】
図１２に示すように、本体ハウジング３は、把手部側ハウジング１８とへッド側ハウジング１９とで構成され、両ハウジング１８，１９は貫通するボルト２１によって連結される回転軸２０ａ，２０ｂに相対回転可能に接続されている。回転軸２０ａ，２０ｂには回転ロック体２２がコイルスプリング２３に抗して軸方向に移動自在になって挿通され、回転ロック体２２の二本の脚５３，５３がヘッド側ハウジング１９の円弧孔５４に遊挿されるとともに把手部側ハウジング１８の固定孔（図示せず）に挿通されて回転ロック体２２を把手部側ハウジング１８に回転不能に支持している。しかして、把手部側ハウジング１８に対して押し込み自在に構成されたプッシュボタン２４をコイルスプリング２３に抗して押し込み操作することで、回転ロック体２２を回転軸２０ａ，２０ｂに対して退避移動させ、回転ロック体２２に形成した係合ロック突起２５をヘッド側ハウジング１９の複数箇所に形成している係合凹所２６に係合して、把手部側ハウジング１８に対してヘッド側ハウジング１９の回転移動位置を変更して折りたたみ及び伸張姿勢を固定できるようにしている。
【００２７】
図１２及び図１３に示すように、ヘッド側ハウジング１９にはソレノイド１４が固定され、把手部側ハウジング１８内に付設した制御回路部２６からの電圧波形のとおりにプランジャー１５を出退動作させるようにしている。把手部側ハウジング１８に対してヘッド側ハウジング１９を回転自在に連結している回転軸２ａ，２０ｂには長い施療部２を回転自在に枢支している。プランジャー１５にはねじを切ってあり、このねじ部にコイルスプリング２７を螺合してあり、コイルスプリング２７を長い施療部２に連結している。このように、本体ハウジング３側からの直線往復運動を長い施療部２の往復回動運動に変換するコイルスプリング２７によるばね手段６を備えていることから、直線運動を回動運動に変換する構成を簡素化することができるものである。又、コイルスプリング２７をプランジャー１５のねじ部にねじ込まれていて、コイルスプリング２７をプランジャー１５に接続する構成を簡素化している。
【００２８】
しかして、本体ハウジング３に形成した把手部１の延長方向に対して略直角に曲がった方向に、施療幅Ｗに比べて施療長さＬが長くなる長い施療部２を設けるのであり、例えば、首や肩等のマッサージしたい部位を狙いやすく、手Ｈによるチョッパー感覚を得ることができ、マッサージ師のマッサージ感覚、マッサージ効果を得ることができ、かつ、長い施療部２は把手部１に対して曲がっていることから、肩や首に乗せやすく使用しやすいものである。図１においてＸはストロークを示す。
【００２９】
更に、長い施療部２が把手部１の方向に回動自在に本体ハウジング３に枢支していて、長い施療部２の連続した往復回動運動によって、マッサージ師の叩き手技（ケン打）のマッサージ感覚を得ることができ、かつ、長い施療部２の一端部を枢支することから、長さ方向とは直交する左右方向の動きを抑制することができ、安定的に使用することができ、加えて、長い施療部２を往復回動動作させることから、長い施療部２の前後で動作のストロークが異なり、マッサージ器を前後に移動することで最適な強さを容易に得ることができるものである。
【００３０】
しかも、本体ハウジング３が長い施療部２の枢支位置において折りたたみ可能になっていて、折りたたみによってコンパクト化を図ることができながら、本体ハウジング３の折りたたみ位置と長い施療部２の枢支位置とが同じ位置であることから、施療部２の長さを最大限長くすることができ、しかも、枢支位置が一箇所だから、構成を簡素化することができながら、小スペースで折り曲げと回動がおこな得るものである。
【００３１】
ヘッド側ハウジング３には弾性体５の一例としてのスプリング２８を介して上係止爪２９が貫通するねじ３０にて固定されていて、上係止爪２９を備えた部材がスプリング２８に抗して若干移動できるようにしている。ねじ３０の下端部は連結ブロック５５を介して長い施療部２の先端部に連結されている。
【００３２】
上記回転軸２０ａ，２０ｂには副施療子７が回転自在に枢支されている。副施療子７の中央部には長孔３１が形成され、長孔３１に長い施療部２が臨んでいて、長い施療部２の両側に副施療子７を存在させている。副施療子７のケーシング３２には軸受用の切欠き３３が形成され、切欠き３３にフック軸３４を回転自在に挿合している。フック軸３４には上フック３５と下フック３６とを形成している。長い施療部２には下係止爪３７を設けている。フック軸３４に一連に形成した受部３８とケーシング３２との間にはスプリング３９が介装されて上下フック３５，３６の係合方向にフック軸３４を回転付勢している。フック軸３４の受部３８には係止孔４０が形成されて切替ボタン４１を連結して、ケーシング３２の両側の長孔４２の範囲内において移動できるようにしている。
【００３３】
しかして、図８に示すように、副施療子７側の下フック３６が長い施療部２の下係止爪３７に係止されている副施療子７の下降回動状態において、長い施療部２と副施療子７とが略同レベルになって施療幅Ｗ大きく広げる状態と、図示はしないが副施療子７のみを押上げて副施療子７側の上フック３５をヘッド側ハウジング１９の上係止爪２９に係止することで、長い施療部２に対して副施療子７を上昇させて施療幅Ｗを長い施療部２のみによる幅狭の状態に切り替えることができるようにしている。
【００３４】
このように、副施療子７を上昇させて施療幅Ｗを狭くする場合には、手Ｈによるチョッパー感覚の強い刺激マッサージが得られ、副施療子７を下降させることにより施療幅Ｗを広くする場合には、平手打ち感覚のやさしいマッサージを得ることができるのである。つまり、使用始めでは、施療幅Ｗを広くしたワイドでのならし、使用途中では、施療幅Ｗを狭くしたチョッパーでの本マッサージ、終了時では、再びワイドでの仕上げをおこなうことができ、マッサージ師の手順に合わせたマッサージができるのである。又、副施療子２を退避させることで、施療部２のみの施療ができて、マッサージ感を明確にすることができるものである。更に、副施療子７の位置を変更することにより、ワイド叩き（平手打）、チョッパー叩き（ケン打）のマッサージ感覚でマッサージをおこなうことができるものである。
【００３５】
図８のように、副施療子７の下フック３６に長い施療部２の下係止爪３７を係止した状態で、図示はしないが副施療子７の上フック３５をヘッド側ハウジング１９の上係止爪２９に係合することで、長い施療部２が弾性体５としてのスプリング２８を圧縮した状態でハウジング側にロックされるようにしている。このように、弾性を備えて長い施療部２をハウジング側にロックする構成をロック手段４と総称するがその構成は種々設計変更可能である。
【００３６】
このように、長い施療部２を本体ハウジング３側であるヘッド側ハウジング１９に弾性体５を介して弾性を備えたロック手段４にて連結していることから、ソレノイド１４による施療部２の回動運動を吸収して微少な回動運動にすることができ、把手部１側の手元振動を軽減することができ、しかも、長い施療部２を本体ハウジング３にロックした状態で、ヘッド部分１７による叩き動作において飛び跳ね動作となり、長い施療部２の施療面への接触時間が短くなり、又、反動での叩き力が加わってマッサージ師がおこなう軽快なマッサージ動作を生み出すことができるものである。
【００３７】
ところで、切替ボタン４１，４１をスプリング３９に対して図１２の矢印イ方向に操作することで、フック軸３４を回転させてスプリング２８によって長い施療部２を下方に弾発して上フック３５の係合を解除することができるようにしている。
【００３８】
図１７は他の実施の形態を示す概略断面図である。但し、本実施の形態の基本構成は上記実施の形態と共通であり、共通する部分には同一の符号を付して説明は省略する。長い施療部２の先端面に切替溝４３を上下多段に形成し、副施療子７側にスプリング４４に抗して出退することができるロックボタン４５を設けたものであって、ロックボタン４５を選択した切替溝４３に挿合することで、副施療子７の位置を変更して、長い施療部２の突出代を変更して、結果として、長い施療部２の施療幅Ｗを変更可能に構成したものである。このような副施療子７の回動位置を変更する構成を回動位置変更手段８と総称するが、その構成は種々設計変更可能である。
【００３９】
しかして、副施療子７を上昇させて施療幅Ｗを狭くする場合には、チョッパー感覚の強い刺激マッサージが得られ、副施療子７を下降させることにより施療幅Ｗを広くする場合には、平手打ち感覚のやさしいマッサージを得ることができ、又、副施療子７が長い施療部２に対して段階的に位置変更可能に構成されていることから、副施療子７の位置を長い施療部２に対して段階的に位置を変更することで、施療部２と副施療子７との好みの施療状態でマッサージをおこなうことができるものである。
【００４０】
図１９乃至図２１は更に他の実施の形態を示している。但し、基本構成は上記実施の形態と共通であり、共通する部分には同一の符号を付して説明は省略する。
【００４１】
図１９の実施の形態においては、長い施療部２に長さ方向に位置をずらせて異なる形状の施療ポイント９，１０を設けたものであって、長い施療部２を長さ方向に動かすことで、施療感覚及び刺激を容易に変えることができるものである。
【００４２】
図２０の実施の形態においては、長い施療部２に長さ方向に施療ポイント１１をスライド移動可能に設けたものである。具体的には、長い施療部２に長い凹所４６を形成するともに長い凹所４６に適宜間隔を隔てて係合切欠き４７を形成し、施療ポイント１１を適宜の位置に移動させて係合脚４８を係合切欠き４７に係合して位置を変更可能にしたものであって、施療ポイント１１をスライドさせることで、マッサージ感を変えることができるものである。
【００４３】
図２１の実施の形態においては、施療ポイント１１のスライド移動によって施療ポイント１１の高さを変更可能にしたものである。具体的には、移動溝４９を斜めに形成して施療ポイント１１の位置の選択によって、施療ポイント１１の高さを変更してマッサージ刺激強さを変えることができ、多種のマッサージ感を得ることができるものである。
【００４４】
図２２乃至図２４は更に他の実施の形態を示し、但し、本実施の形態の基本構成は上記実施の形態と共通であり、共通する部分には同一の符号を付して説明は省略する。
【００４５】
図２２の実施の形態においては、長い施療部２の長さ方向の中央部に施療部２をシーソー揺動させる支持位置を設けたものである。具体的には、長い施療部２の中央部において軸５０にて揺動自在に支持したものであって、長い施療部２が施療部位に沿うように揺動することができ、施療部位に合った広い範囲のマッサージをおこなうことができるものである。
【００４６】
図２４の実施の形態においては、長い施療部２の施療側が凹状に湾曲しているものであって、長い施療部２が人体に馴染み、一層、ワイド感のあるマッサージをおこなうことができるものである。
【００４７】
図２５乃至図２７は更に他の実施の形態を示し、但し、本実施の形態の基本構成は上記実施の形態と共通であり、共通する部分には同一の符号を付して説明は省略する。
【００４８】
図２５の実施の形態においては、長い施療部２が複数並設されて交互に叩き動作するようにしたものである。具体的には、ソレノイド１４，１４を並設し、各々のソレノイド１４によって長い施療部２を独立駆動するようにしてあって、両手感覚での交互叩きをおこなうことができるものである。
【００４９】
図２６の実施の形態においては、複数の長い施療部２の少なくとも一つが本体ハウジング３側に固定され、他の長い施療部２がソレノイド１４に連結されて叩き動作をおこなうようにしたものであって、簡単な構成により交互叩きをおこなうことができ、部品点数を少なくすることができるものである。
【００５０】
図２７の実施の形態においては、長い施療部２の長さ方向の両端部にソレノイドのような駆動部１２，１２を設けてあって、長い施療部２の施療長さを、一層、長くすることができ、更に、両端のソレノイドのような駆動部１２，１２への通電タイミングを変えることによって、異なった動作を造り出すことができてマッサージ師の手技に近づけることができるものである。
【００５１】
図２９の実施の形態においては、一定以上のシーソ揺動を阻止する揺動防止ガイド１３を設けたものであって、使用時に長い施療部２が回動せず安定させることができて使いやすいものである。
【００５２】
図３０及び図３１は更に他の実施の形態を示し、但し、本実施の形態の基本構成は上記実施の形態と共通であり、共通する部分には同一の符号を付して説明は省略する。本実施の形態においては、ソレノイド１４において駆動されるプランジャー１５の摺動ガイド１６を円とは異なる非円形にするとともに長い施療部２に連結されるプランジャー１５の外形も摺動ガイド１６の形状に合致させたものである。図３０の実施の形態においては、プランジャー１５を角柱状に形成するとともに摺動ガイド１６に角孔５１を形成したものであり、図３１の実施の形態においては、プランジャー１５を楕円形に形成するとともに摺動ガイド１６に楕円孔５２を形成したものである。このような構成によれば、ソレノイド１４のプランジャー１５及び摺動ガイド１６によって長い施療部２の回動を防止できて、回動防止の構成を兼用化できて構成を簡素化できるものである。
【００５３】
【発明の効果】
請求項１においては、本体ハウジングに形成した把手部の延長方向に対して曲がった方向に、施療幅に比べて施療長さが長くなる長い施療部を設け、長い施療部の施療幅を変更可能に構成してあるから、施療域を長くすることができ、例えば、首や肩等のマッサージしたい部位を狙いやすく、手によるチョッパー感覚を得ることができ、マッサージ師のマッサージ感覚、マッサージ効果を得ることができ、かつ、長い施療部は把手部に対して曲がっていることから、肩や首に乗せやすく使用しやすいという利点がある。
更に、請求項１においては、長い施療部の施療幅を変更可能に構成してあるから、施療幅を狭くする場合には、チョッパー感覚の強い刺激マッサージが得られ、アタッチメントにより施療幅を広くした場合には、平手打ち感覚のやさしいマッサージを得ることができるという利点がある。即ち、使用始めでは、施療幅を広くしたワイドでのならし、使用途中では、施療幅を狭くしたチョッパーでの本マッサージ、終了時では、再びワイドでの仕上げをおこなうことができ、マッサージ師の手順に合わせたマッサージができるものである。
【００５４】
請求項２においては、長い施療部が把手部の方向に回動自在に本体ハウジングに枢支しているから、請求項１の効果に加えて、長い施療部の連続した往復回動運動によって、マッサージ師の叩き手技（ケン打）のマッサージ感覚を得ることができ、かつ、長い施療部の一端部を枢支することから、長さ方向とは直交する左右方向の動きを抑制することができ、安定的に使用することができ、加えて、長い施療部を往復回動動作させることから、長い施療部の前後で動作のストロークが異なり、マッサージ器を前後に移動することで最適な強さを容易に得ることができるという利点がある。
【００５５】
請求項３においては、本体ハウジングが長い施療部の枢支位置において折りたたみ可能にしているから、請求項２の効果に加えて、折りたたみによってコンパクト化を図ることができながら、本体ハウジングの折りたたみ位置と長い施療部の枢支位置とが同じ位置であることから、施療部の長さを最大限長くすることができ、しかも、枢支位置が一箇所だから、構成を簡素化することができながら、小スペースで折り曲げと回動がおこな得るという利点がある。
【００５６】
請求項４においては、長い施療部を本体ハウジングに弾性体を介して弾性を備えたロック手段にて連結しているから、請求項３の効果に加えて、施療部及び施療部が連結された本体ハウジング部分で構成するヘッド部分は、本体ハウジングに弾性体を介して連結されることで施療部の回動運動を吸収して微少な回動運動にすることができ、把手部側の手元振動を軽減することができ、しかも、長い施療部を本体ハウジングにロックした状態で、ヘッド部分による叩き動作において飛び跳ね動作となり、長い施療部の施療面への接触時間が短くなり、又、反動での叩き力が加わってマッサージ師がおこなう軽快なマッサージ動作を生み出すことができるという利点がある。
【００５７】
請求項５においては、本体ハウジング側からの直線往復運動を長い施療部の往復回動運動に変換するばね手段を備えているから、請求項２の効果に加えて、直線運動を回動運動に変換する構成を簡素化することができるという利点がある。
【００５９】
請求項６においては、長い施療部の両側に副施療子を施療部の回動方向に位置変更可能に設けてあるから、請求項１の効果に加えて、副施療子の位置の変更によって施療幅を変更することができながら、副施療子を退避させることで、施療部のみの施療ができて、マッサージ感を明確にすることができるという利点がある。
【００６０】
請求項７においては、長い施療部の両側に副施療子を回動位置を変更可能に設け、副施療子の下回動位置においては長い施療部に同レベルで連結されて同調駆動されるととにも上回動位置においては長い施療部から退避して本体ハウジングに連結されて長い施療部のみが回動駆動される副施療子の回動位置変更手段を設けてあるから、請求項６の効果に加えて、副施療子の位置を変更することにより、ワイド叩き（平手打）、チョッパー叩き（ケン打）のマッサージ感覚でマッサージをおこなうことができる。
【００６１】
請求項８においては、副施療子が長い施療部に対して段階的に位置変更可能に構成してあるから、請求項６の効果に加えて、副施療子の位置を長い施療部に対して段階的に位置を変更することで、施療部と副施療子との好みの施療状態でマッサージをおこなうことができるという利点がある。
【００６２】
請求項９においては、長い施療部に長さ方向に位置をずらせて異なる形状の施療ポイントを設けてあるから、請求項１の効果に加えて、施療部を長さ方向に動かすことで、施療感覚及び刺激を容易に変えることができるという利点がある。
【００６３】
請求項１０においては、長い施療部に長さ方向に施療ポイントをスライド移動可能に設けてあるから、請求項１の効果に加えて、施療ポイントをスライドさせることで、マッサージ感を変えることができるという利点がある。
【００６４】
請求項１１においては、施療ポイントのスライド移動によって施療ポイントの高さを変更可能にしてあるから、請求項１０の効果に加えて、マッサージ刺激強さを変えることができ、多種のマッサージ感を得ることができるという利点がある。
【００６５】
請求項１２においては、長い施療部の長さ方向の中央部に施療部をシーソー揺動させる支持位置を設けてあるから、請求項１の効果に加えて、長い施療部が施療部位に沿うように揺動することができ、施療部位に合った広い範囲のマッサージをおこなうことができるという利点がある。
【００６６】
請求項１３においては、長い施療部の施療側が凹状に湾曲しているから、請求項１２の効果に加えて、長い施療部が人体に馴染み、一層、ワイド感のあるマッサージをおこなうことができるという利点がある。
【００６７】
請求項１４においては、長い施療部が複数並設されて交互に叩き動作するから、請求項１又は２の効果に加えて、両手感覚での交互叩きをおこなうことができるという利点がある。
【００６８】
請求項１５においては、複数の長い施療部の少なくとも一つが本体ハウジング側に固定され、他の長い施療部が叩き動作をおこなうから、請求項１４の効果に加えて、簡単な構成により交互叩きをおこなうことができ、部品点数を少なくすることができるという利点がある。
【００６９】
請求項１６においては、長い施療部の長さ方向の両端部にソレノイドのような駆動部を設けてあるから、請求項１の効果に加えて、長い施療部の施療長さを、一層、長くすることができ、更に、両端のソレノイドのような駆動部への通電タイミングを変えることによって、異なった動作を造り出すことができてマッサージ師の手技に近づけることができるという利点がある。
【００７０】
請求項１７においては、一定以上のシーソ揺動を阻止する揺動防止ガイドを設けてあるから、請求項１又は１２の効果に加えて、使用時に長い施療部が回動せず安定させることができて使いやすいという利点がある。
【００７１】
請求項１８においては、ソレノイドにおいて駆動されるプランジャーの摺動ガイドを円とは異なる非円形にするとともに長い施療部に連結されるプランジャーの外形も摺動ガイドの形状に合致させてあるから、請求項１７記載の効果に加えて、ソレノイドのプランジャー及び摺動ガイドによって長い施療部の回動を防止できて、回動防止の構成を兼用化できて構成を簡素化できるという利点がある。
【図面の簡単な説明】
【図１】本発明の実施の一形態を示す側面図である。
【図２】同上の正面図である。
【図３】同上の詳細側断面図である。
【図４】同上の伸展状態を示す側面図である。
【図５】同上の折りたたみ状態を示す側面図である。
【図６】手によるマッサージ作用を示し、（ａ）は側面図、（ｂ）は正面図、（ｃ）は底面図である。
【図７】手によるマッサージ作用を示す説明図である。
【図８】同上のヘッド部を示す断面図である。
【図９】同上のヘッド部を示す底面図である。
【図１０】同上のヘッド部の部分側断面図である。
【図１１】同上のヘッド部の折りたたみ部の断面図である。
【図１２】同上の分解斜視図である。
【図１３】同上の分解斜視図である。
【図１４】（ａ）は同上の分解斜視図、（ｂ）は側面図である。
【図１５】同上の作用を示す斜視図である。
【図１６】同上の作用を示し、（ａ）（ｂ）は概略正面図である。
【図１７】同上の他の実施の形態を示し、長い施療部と副施療子との関係を示す概略断面図である。
【図１８】同上の長い施療部に対する副施療子の動作を示し、（ａ）（ｂ）（ｃ）は正面図である。
【図１９】同上の更に他の実施の形態を示す長い施療部の概略側面図である。
【図２０】同上の更に他の実施の形態を示し、（ａ）は概略側面図、（ｂ）は概略正断面図である。
【図２１】同上の更に他の実施の形態を示し、（ａ）は概略側面図、（ｂ）は概略正断面図である。
【図２２】同上の更に他の実施の形態を示し、長い施療部の支持形態を示す概略側面図である。
【図２３】同上の更に他の実施の形態を示し、（ａ）（ｂ）は長い施療部の支持形態を示す概略側面図である。
【図２４】同上の更に他の実施の形態を示し、（ａ）（ｂ）は長い施療部の支持形態を示す概略側面図である。
【図２５】同上の更に他の実施の形態を示し、長い施療部の支持形態を示す概略正断面図である。
【図２６】同上の更に他の実施の形態を示し、（ａ）（ｂ）は長い施療部の支持形態及び動作を示す概略正断面図である。
【図２７】同上の更に他の実施の形態を示し、長い施療部の支持形態を示す概略側断面図である。
【図２８】同上の更に他の実施の形態を示し、（ａ）（ｂ）（ｃ）は長い施療部の支持形態及び動作を示す概略側断面図である。
【図２９】同上の更に他の実施の形態を示し、（ａ）（ｂ）は長い施療部の支持形態及び動作を示す概略正断面図、概略側断面図である。
【図３０】同上の更に他の実施の形態を示し、（ａ）はソレノイドの概略正断面図、（ｂ）は底面図、（ｃ）はプランジャーの斜視図である。
【図３１】同上の更に他の実施の形態を示し、（ａ）はソレノイドの底面図、（ｂ）はプランジャーの斜視図である。
【符号の説明】
１    把手部
２    長い
３    本体ハウジング
４    ロック手段
５    弾性体
６    ばね手段
７    副施療子
８    回動位置変更手段
９    施療ポイント
１０  施療ポイント
１１  施療ポイント
１２  駆動部
１３  揺動防止ガイド
１４  ソレノイド
１５  プランジャー
１６  揺動ガイド
１７  ヘッド部
【図１】
0003671747.tif 000002
【図２】
0003671747.tif 000003
【図３】
0003671747.tif 000004
【図４】
0003671747.tif 000005
【図５】
0003671747.tif 000006
【図６】
0003671747.tif 000007
【図７】
0003671747.tif 000008
【図８】
0003671747.tif 000009
【図９】
0003671747.tif 000010
【図１０】
0003671747.tif 000011
【図１１】
0003671747.tif 000012
【図１２】
0003671747.tif 000013
【図１３】
0003671747.tif 000014
【図１４】
0003671747.tif 000015
【図１５】
0003671747.tif 000016
【図１６】
0003671747.tif 000017
【図１７】
0003671747.tif 000018
【図１８】
0003671747.tif 000019
【図１９】
0003671747.tif 000020
【図２０】
0003671747.tif 000021
【図２１】
0003671747.tif 000022
【図２２】
0003671747.tif 000023
【図２３】
0003671747.tif 000024
【図２４】
0003671747.tif 000025
【図２５】
0003671747.tif 000026
【図２６】
0003671747.tif 000027
【図２７】
0003671747.tif 000028
【図２８】
0003671747.tif 000029
【図２９】
0003671747.tif 000030
【図３０】
0003671747.tif 000031
【図３１】
0003671747.tif 000032